(57)【要約】      （修正有）【課題】電界発光素子の駆動方法を提供する。【解決手段】本発明による電界発光素子の駆動方法は、データラインとスキャンラインの間に形成された二つ以上のサブピクセルを含むピクセルに、前記スキャンラインを通じてスキャン信号を入力するスキャン信号入力段階と、前記データラインを通じて入力されるデータ信号のうちの少なくとも一つが、少なくとも他の一つと異なる位置の開始点及び終了点があるように前記データ信号を入力するデータ信号入力段階とを含む。【選択図】図５
2007241232.tif 000002
【特許請求の範囲】
【請求項１】
データラインとスキャンラインの間に形成された二つ以上のサブピクセルを含むピクセルに、前記スキャンラインを通じてスキャン信号を入力するスキャン信号入力段階と、
前記データラインを通じて入力されるデータ信号のうちの少なくとも一つが、少なくとも他の一つと異なる位置に開始点及び終了点があるように前記データ信号を入力するデータ信号入力段階と、を含むことを特徴とする電界発光素子の駆動方法。
【請求項２】
前記ピクセルは、三つ以上のＲ、Ｇ、Ｂサブピクセルを含み、
前記データ入力段階で、前記データ信号は、それぞれ異なる位置に開始点があることをことを特徴とする請求項１記載の電界発光素子の駆動方法。
【請求項３】
前記ピクセルは、三つ以上のＲ、Ｇ、Ｂサブピクセルを含み、
前記データ入力段階で、前記データ信号が、それぞれ異なる位置に終了点があることを特徴とする請求項１記載の電界発光素子の駆動方法。
【請求項４】
前記ピクセルは、三つ以上のＲ、Ｇ、Ｂサブピクセルを含み、
前記データ入力段階で、前記データ信号が、互いに重畳されない中心点を有し、この中心点は、前記データ信号を内分することを特徴とする請求項１記載の電界発光素子の駆動方法。
【請求項５】
前記ピクセルは、三つ以上のＲ、Ｇ、Ｂサブピクセルを含み、
前記Ｒ、Ｇ、Ｂサブピクセルに入力した前記データ信号のうちのいずれか一つは、
前記各スキャン信号に従って入力した対応するデータ信号の開始点に関して、信号幅が変化することを特徴とする請求項１記載の電界発光素子の駆動方法。
【請求項６】
前記ピクセルは、三つ以上のＲ、Ｇ、Ｂサブピクセルを含み、
前記Ｒ、Ｇ、Ｂサブピクセルに入力した前記データ信号のうちの他の一つは、
前記各スキャン信号に従って入力した対応するデータ信号の終了点に関して、信号幅が変化することを特徴とする請求項１記載の電界発光素子の駆動方法。
【請求項７】
前記ピクセルは、三つ以上のＲ、Ｇ、Ｂサブピクセルを含み、
前記Ｒ、Ｇ、Ｂサブピクセルに入力した前記データ信号のうちの残り一つは、
前記各スキャン信号に従って入力した対応するデータ信号の開始点と終了点の中間点に関して、左右信号幅が等しくなるように変化することを特徴とする請求項１記載の電界発光素子の駆動方法。
【請求項８】
前記ピクセルは、三つ以上のＲ、Ｇ、Ｂサブピクセルを含み、
前記データ信号は、前記スキャン信号を１００％に換算した時、前記Ｒ、Ｇ、Ｂサブピクセルに入力した前記データ信号の大きさが１／３となるように変調してそれぞれ入力することを特徴とする請求項１記載の電界発光素子の駆動方法。
【請求項９】
前記スキャン信号入力段階で入力したスキャン信号と、前記データ信号入力段階で入力した第１のデータ信号とは、開始点の位置が同一であることを特徴とする請求項１記載の電界発光素子の駆動方法。
【請求項１０】
前記ピクセルは、三つ以上のＲ、Ｇ、Ｂサブピクセルを含み、
前記Ｒ、Ｇ、Ｂサブピクセルに入力される前記データ信号の各々は、前記スキャン信号の開始点、終了点及び中間点で同期して前記サブピクセルに入力することを特徴とする請求項１記載の電界発光素子の駆動方法。
【請求項１１】
前記ピクセルは、三つ以上のＲＧＢサブピクセルを含み、
前記Ｒ、Ｇ、Ｂサブピクセルに入力される前記データ信号の各々は、前記スキャン信号の開始点及び終了点から±Δｔ位の時間差を置いて入力されることを特徴とする請求項１記載の電界発光素子の駆動方法。
【請求項１２】
前記データ信号入力段階は、さらに前記データラインに予備充電電流を入力するためのプリチャージ入力段階を含み、
前記予備充電電流が入力するときの開始点と同時に入力または前記予備充電電流が入力した以後に、前記データ信号が入力することを特徴とする請求項１記載の電界発光素子の駆動方法。
【請求項１３】
前記スキャン信号入力段階及びデータ信号入力段階で入力される各信号の開始点は、該信号のレベルが上昇する時点、または上昇した後でピークレベルに到達する時点に位置し、
前記スキャン信号入力段階及びデータ信号入力段階で入力される各信号の終了点は、 信号のレベルが下降する時点、または下降した後でローレベルになる時点に位置していることを特徴とする請求項１記載の電界発光素子の駆動方法。
【請求項１４】
前記サブピクセルは、有機発光層を含むことを特徴とする請求項１記載の電界発光素子の駆動方法。
【発明の詳細な説明】
【技術分野】
【０００１】
本発明は、電界発光素子の駆動方法に関する。
【背景技術】
【０００２】
電界発光表示装置に使われる電界発光素子は、二つの電極の間に発光層が形成された自発光素子であった。電界発光素子は、材料によって無機電界発光素子と有機電界発光素子に分けることができる。また、電界発光素子は、発光層の駆動方式に従って受動（passive）マトリックス型と能動(active)マトリックス型に分けられている。
【０００３】
図１は、従来の有機電界発光素子の断面図である。
図示するように、有機電界発光素子１００は、基板１０上に透明導電性物質からなるアノード電極２０を形成し、その上に、正孔注入層及び正孔輸送層３０、有機物質からなる発光層４０、さらにその上に、電子注入層及び電子輸送層５０及び仕事関数が低い金属にからなるカソード電極６０が積層されている。
【０００４】
このような有機電界発光素子１００は、隣り合うピクセル間の干渉またはアノード電極２０とカソード電極６０に印加されるデータ信号またはスキャン信号などによって発生するクロストーク等の問題から、同一階調を表現することが容易ではなかった。
【０００５】
図２は、スキャン信号の開始点にデータ信号を同期化したタイミング駆動図であり、 図３は、スキャン信号の終了点にデータ信号を同期化したタイミング駆動図である。
【０００６】
従来、有機電界発光素子の駆動方法は、図２及び図３に示すように、一つのスキャン区間（ｔ）の間、スキャン信号（Scan［ｎ］）の開始点（Ａ）または終了点（Ｂ）にロードが偏重されるため、Ｒ、Ｇ、Ｂサブピクセルに入力するデータ信号（Ｒ、Ｇ、Ｂ）が、輝度偏差を生じさせていた。
【０００７】
これは、クロストークの問題であり、それぞれのＲ、Ｇ、Ｂサブピクセルに入力したデータ信号（Ｒ、Ｇ、Ｂ）の開始点（Ａ）または終了点（Ｂ）が、全て等しく入力され、特定区間に位置したカソード電極に印加される電圧差が異なって形成されるためである。
【０００８】
このような問題は、周辺ピクセル間の輝度偏差を誘発して映像を表示する時、イメージブラー（Image Blur）などを発生させて映像表示の品質低下をもたらす。
【発明の開示】
【発明が解決しようとする課題】
【０００９】
本発明の目的は、すべてのデータ信号が重畳されて入力されないように、データ信号を分散入力する電界発光素子の駆動方法を提供することにある。
【課題を解決するための手段】
【００１０】
本発明による電界発光素子の駆動方法は、データラインとスキャンラインの間に形成された二つ以上のサブピクセルを含むピクセルに、前記スキャンラインを通じてスキャン信号を入力するスキャン信号入力段階と、前記データラインを通じて入力されるデータ信号のうちの少なくとも一つが、少なくとも他の一つと異なる開始点及び終了点を有するように前記データ信号を入力するデータ信号入力段階と、を含んでいる。
前記ピクセルは、三つ以上のＲ、Ｇ、Ｂサブピクセルを含み、前記データ入力段階で、前記データ信号は、それぞれ異なる開始点の位置を有する。また、前記ピクセルは、三つ以上のＲ、Ｇ、Ｂサブピクセルを含み、前記データ入力段階で、前記データ信号は、それぞれ異なる終了点の位置を有する。
【００１１】
また、前記ピクセルは、三つ以上のＲ、Ｇ、Ｂサブピクセルを含み、前記データ入力段階で、前記データ信号は、互いに重畳されない中心点を有し、この中心点は、前記データ信号を内分することを特徴とする。
【００１２】
前記ピクセルは、三つ以上のＲ、Ｇ、Ｂサブピクセルを含み、前記Ｒ、Ｇ、Ｂサブピクセルに入力した前記データ信号のうちのいずれか一つは、前記各スキャン信号に従って入力した対応するデータ信号の開始点に関して、信号幅が変化することを特徴とする。
【００１３】
前記ピクセルは、三つ以上のＲ、Ｇ、Ｂサブピクセルを含み、前記Ｒ、Ｇ、Ｂサブピクセルに入力した前記データ信号のうちの他の一つは、前記各スキャン信号に従って入力した対応するデータ信号の終了点に関して、信号幅が変化することを特徴とする。
【００１４】
前記ピクセルは、三つ以上のＲ、Ｇ、Ｂサブピクセルを含み、前記Ｒ、Ｇ、Ｂサブピクセルに入力した前記データ信号のうちの残り一つが、前記各スキャン信号に従って入力した対応するデータ信号の開始点と終了点の中間点に関して、左右信号幅が等しく変化することを特徴とする。
【００１５】
前記ピクセルは、三つ以上のＲ、Ｇ、Ｂサブピクセルを含み、前記データ信号は、前記スキャン信号を１００％に換算した時、前記Ｒ、Ｇ、Ｂサブピクセルに入力した前記データ信号の大きさが１／３となるように、変調してそれぞれ入力することを特徴とする。
【００１６】
前記スキャン信号入力段階で入力したスキャン信号と、前記データ信号入力段階で入力した第１のデータ信号とは、開始点位置が同一であることを特徴とする。
【００１７】
前記ピクセルは、三つ以上のＲ、Ｇ、Ｂサブピクセルを含み、前記Ｒ、Ｇ、Ｂサブピクセルに入力される前記データ信号の各々は、前記スキャン信号の開始点、終了点及び中間点で同期して前記サブピクセルに入力することを特徴とする。
【００１８】
前記ピクセルは、三つ以上のＲＧＢサブピクセルを含み、前記Ｒ、Ｇ、Ｂサブピクセルに入力される前記データ信号の各々は、前記スキャン信号の開始点及び終了点から±Δｔ位の時間差を置いて入力されることを特徴とする。
【００１９】
前記データ信号入力段階は、さらに前記データラインに予備充電電流を入力するためのプリチャージ入力段階を含み、前記予備充電電流が入力するときの開始点と同時に、あるいは前記予備充電電流が入力した以後に、前記データ信号が入力することを特徴とする。
【００２０】
前記スキャン信号入力段階及びデータ信号入力段階で入力される各信号の開始点は、該信号のレベルが上昇する時点、または上昇した後でピークレベルに到達する時点に位置し、前記スキャン信号入力段階及びデータ信号入力段階で入力される各信号の終了点は、 信号のレベルが下降する時点、または下降した後でローレベルになる時点に位置していることを特徴とする。前記サブピクセルは、有機発光層を含んでいる。
【発明の効果】
【００２１】
本発明は、すべてのデータ信号（Ｒ、Ｇ、Ｂ）が重畳して入力されないように変調し、かつデータラインにかかるデータ信号のロードを減らし、同一階調の間の輝度差によってクロストークが発生する問題を防止して、ディスプレイ品質を向上させることができる。
また、各サブピクセルにかかる電流を同時に駆動させないので、消費電力を低めることができる。
【発明を実施するための最良の形態】
【００２２】
以下では、本発明による具体的な実施形態を添付された図面を参照して説明する。
〈第１実施形態〉
図４は、電界発光素子のピクセル回路図である。
【００２３】
電界発光素子のピクセル回路２００は、図４に示すように、互いに交差する複数のデータライン（Data［１］ないしData［ｍ］）及び複数のスキャンライン（Scan［１］ないしScan［ｎ］）の間に、発光部（Ｄ）が形成されている。
【００２４】
図示しないが、電界発光素子は、第１電極、発光部及び第２電極が基板上に形成されて一つのサブピクセルを構成し、複数個のサブピクセル群は、ディスプレイのためのピクセル部となる。基板上に形成されたピクセル部は、保護基板によって密封されて水気や酸素などから保護される。発光部の発光層は、有機物または無機物で形成することができ、発光方向によって、背面発光型、前面発光型及び両面発光型などに形成可能である。
【００２５】
第１電極及び第２電極に電気的に接続されたデータライン及びスキャンラインは、駆動装置からデータ信号及びスキャン信号の供給を受けることができ、データ信号及びスキャン信号を供給する駆動方法は、本発明の実施形態と同一であると言える。
【００２６】
本発明の一つの実施形態による電界発光素子の駆動方法は、スキャン信号入力段階とデータ信号入力段階を含んでいる。データ信号入力段階は、データ階調による予備充電電流値をプリチャージするプリチャージ入力段階をさらに含むことができる。
【００２７】
一つの実施形態では、データ信号の開始点、中間点及び終了点が、一つ以上重畳されないように変調させたパルス幅を有してデータラインに入力する場合について説明する。
【００２８】
スキャン信号入力段階は、データラインとスキャンラインの間に形成されたふたつ以上のサブピクセルを含むピクセルに、スキャンラインを通じてスキャン信号を入力する段階である。
【００２９】
図５は、本発明の第1実施形態による電界発光素子のタイミング駆動図である。
図５を参照すれば、このようにスキャン信号入力段階を経って入力したスキャン信号（Scan［ｎ］）は、一つのスキャン区間（ｔ）に相当するスキャン信号（Scan［ｎ］）になる。
【００３０】
データ信号入力段階は、データラインを通じて入力されるデータ信号のうちの少なくとも一つが、少なくとも他の一つと異なる開始点及び終了点を有するような、ふたつ以上のサブピクセルにデータ信号を入力する段階である。
【００３１】
一つのピクセルを構成するサブピクセルは、最小単位の色相である二つの色相で映像を表示するように構成可能であるが、Ｒ、Ｇ、Ｂのような三つの色相またはＲ、Ｇ、Ｂ、Ｗのようにホワイト色相を加えてデータ信号を入力することができる。
【００３２】
したがって、サブピクセルが二つの色相で構成されている場合、データ信号のうちの少なくとも一つは、少なくとも他の一つと開始点及び終了点が、全て異なるように入力することができる。
【００３３】
図５を参照すれば、ピクセルがＲ、Ｇ、Ｂ サブピクセルで構成されている一例を示しており、 データ信号入力段階を経て入力したデータ信号（Ｒ、Ｇ、Ｂ）は、次のようになる。
【００３４】
データ信号入力段階において、入力したデータ信号（Ｒ、Ｇ、Ｂ）は、それぞれデータラインを通じて入力した開始点が全て異なっている。
【００３５】
ここで、Ｒ、Ｇ、Ｂサブピクセルに入力したデータ信号（Ｒ、Ｇ、Ｂ）のうち、Ｒサブピクセルに入力したデータ信号（Ｒ）は、入力した信号の開始点に関して、信号幅を増減して変化するように入力させることができる。
【００３６】
また、Ｂサブピクセルに入力したデータ信号（Ｂ）は、入力した信号の終了点に関して、信号幅を増減させて変化するように入力させることができる。
また、Ｇサブピクセルに入力したデータ信号（Ｇ）は、信号幅を増減して変化させ、入力した信号の開始点と終了点の内分点である中間点に関して、左右信号幅が等しくなるようにするように入力することができる。
【００３７】
ここで、Ｒ、Ｇ、Ｂサブピクセルに入力したデータ信号（Ｒ、Ｇ、Ｂ）は、各スキャン信号に従って入力した対応するデータ信号の開始点または終了点に関して中間点に関して、変化することができ、また、開始点と終了点の中間点に関して、左右信号幅が等しくなるように変化することができる。
【００３８】
図６は、一つの実施形態の変形した実施形態による電界発光素子のタイミング駆動図である。
図６を参照して、一つの実施形態の変形した実施形態を説明すると、データ信号入力段階で入力したデータ信号（Ｒ、Ｂ）の入力した開始点は、全て異なるが、少なくともいずれか1つのデータ信号（Ｇ）は、開始点と終了点の間に位置し、その終了点がデータ信号（Ｂ）と同一となる場合もある。
【００３９】
図７は、一つの実施形態の変形した実施形態による電界発光素子のタイミング駆動図である。
図７を参照して、一つの実施形態の変形した実施形態を説明すると、データ信号入力段階で入力したデータ信号（Ｒ、Ｂ）の終了点は、全て異なるが、少なくともいずれか１つのデータ信号（Ｇ）は、その開始点がデータ信号（Ｒ）と同一となる場合もある。
【００４０】
図８は、一つの実施形態の変形した実施形態による電界発光素子のタイミング駆動図である。
図８を参照して、一つの実施形態の変形した実施形態を説明すると、データ信号入力段階で入力したデータ信号（Ｒ、Ｇ、Ｂ）は、重なる区間なしで、全て入力することができる。これは、スキャン信号を１００％に換算した時、Ｒ、Ｇ、Ｂサブピクセルに入力されるデータ信号の大きさを１/３に変調させて、それぞれを入力できることを意味する。
【００４１】
このような方法は、電界発光素子を照明または光源などで実現するとき、常時一定な光を発光させることができる。
【００４２】
図９は、一つの実施形態の変形した実施形態による電界発光素子のタイミング駆動図である。
図９を参照して、一つの実施形態の変形した実施形態を説明すると、Ｒ、Ｇ、Ｂ、Ｗサブピクセルを有するピクセルを一例で示すことで、データ信号入力段階で入力したデータ信号（Ｒ、Ｇ、Ｂ、Ｗ）は、それぞれ開始点及び終了点が全て異なって入力させることができることを示す。
【００４３】
図１０は、一つの実施形態の変形した実施形態による電界発光素子のタイミング駆動図である。
図１０を参照すれば、データ信号（Ｒ、Ｇ、Ｂ）の開始点または終了点の位置は、±Δｔ位の時間差を置いて入力することもできる。これは、データラインに印加されるロードが大きい場合に、十分なプリチャージが達成された後で、データ信号（Ｒ、Ｇ、Ｂ）を入力することができ、このような駆動方法は、サフピクセルの発光開始点または発光終了点が異なるようにすることもできる。発光開始点と発光終了点は、人の目によって認知することができ、スキャン信号とデータ信号値が、発光要件に満足する時、サブピクセルを発光させることができる。一方、データ信号だけでなくスキャン信号も、±Δt 位の時間差を置いて入力させることができる。そして、データ信号とスキャン信号は、相互に同期して入力させることもできる。
【００４４】
図１１は、電界発光素子に入力する信号を示す図である。
図１１を参照すれば、スキャン信号入力段階及びデータ信号入力段階で入力する信号の開始点は、信号のレベルが上昇するときの時点（Ｔ１）および信号レベルがピークレベルに到達する時の時点（Ｔ３）に位置させることができる。
【００４５】
信号レベルが、ピークレベルになる時点（Ｔ３）は、時によって時点（Ｔ２）になることもできる。そして、スキャン信号入力段階及びデータ信号入力段階で入力した信号の終了点は、信号レベルが降下する時点（Ｔ４）と、信号レベルが降下して、その後にローレベルになる時点（Ｔ５）に位置することができる。
【００４６】
先に説明した多様な実施形態において、データ信号（Ｒ、Ｇ、Ｂ）をＲ、Ｇ、Ｂで仮定して図面上に表記して説明したが、これは、実施形態による説明の便宜のためのことである。データ信号（Ｒ、Ｇ、Ｂ）は、予備充電電流が入力される開始点と同時、または、それ以後に、入力することもできることを示す。
【００４７】
先に説明した駆動方法において、短いスキャン時間の間、高い輝度のデータ信号を入力するために、データ信号の幅を減らすのみならず、減らす幅を高さで償って入力することもできる。
【００４８】
先に説明した多様な実施形態によれば、すべてのデータ信号（Ｒ、Ｇ、Ｂ）が重畳されて入力されないように変調して、データラインにかかるデータ信号のロードを減らして同一階調の間の輝度差によってクロストークが発生する問題を防止してディスプレイ品質を向上させることができるようになる。また、各サブピクセルにかかる電流を同時に駆動しないので、消費電力を低下させることができるという効果もある。
【図面の簡単な説明】
【００４９】
【図１】従来の有機電界発光素子断面図である。
【図２】スキャン信号の開始点にデータ信号を同期させたタイミング駆動図である。
【図３】スキャン信号の終了点にデータ信号を同期させたタイミング駆動図である。
【図４】電界発光素子のピクセル回路図である。
【図５】本発明の一つの実施形態による電界発光素子のタイミング駆動図である。
【図６】変形した実施形態による電界発光素子のタイミング駆動図である。
【図７】変形した実施形態による電界発光素子のタイミング駆動図である。
【図８】変形した実施形態による電界発光素子のタイミング駆動図である。
【図９】変形した実施形態による電界発光素子のタイミング駆動図である。
【図１０】変形した実施形態による電界発光素子のタイミング駆動図である。
【図１１】電界発光素子に入力される信号を示す図である。
【符号の説明】
【００５０】
１０  基板
２０  アノード電極
３０、５０  正孔注入層及び正孔輸送層
４０  発光層
６０  カソード電極
１００  有機電界発光素子
【図１】
2007241232.tif 000003
【図２】
2007241232.tif 000004
【図３】
2007241232.tif 000005
【図４】
2007241232.tif 000006
【図５】
2007241232.tif 000007
【図６】
2007241232.tif 000008
【図７】
2007241232.tif 000009
【図８】
2007241232.tif 000010
【図９】
2007241232.tif 000011
【図１０】
2007241232.tif 000012
【図１１】
2007241232.tif 000013